(57)【要約】【目的】本発明は活魚介類の高密度輸送方法として、空気中の窒素を粒状ゼオライト又は、分離膜で吸着排出して酸素及び水素を濃縮し、輸送用タンク水に気泡として放出して、高濃度溶存酸素水に改質し、活魚介類の生存率を増大するものである。【構成】空気原料（１）をコンプレッサー（２）で除湿除塵器（３）を通過し、窒素吸着器（４）で窒素を吸着排出し、濃縮された酸水素及びバッファタンク（５）を通過後マイナスイオン発生器（１２）に接触させ、さらに循環水ポンプ（１０）の吐出側に冷却蓄圧タンク（９）を備えこの蓄圧タンク内に濃縮酸水素を加圧し、散気管（８）により循環水に気泡として放出され高濃度溶存酸素水となる。さらに高濃度溶存酸素水は、輸送タンク（７）に放出される。又、活魚介類の放出した糞尿で汚染されたタンク水は、回収ポンプ（１３）で浄化槽（１１）に回収され浄化し、輸送タンク戻す装置を備えた構成。【選択図】    図１
2004305193.tif 000002
【特許請求の範囲】
【請求項１】
活魚介類の高密度輸送において、空気中の窒素を粒状ゼオライト又は、分離膜で吸着排出して酸素を濃縮し、循環水冷却器に濃縮酸素を接触冷却し、輸送用タンク水に気泡として放出して、高濃度溶存酸素水に改善する活魚介類の高密度輸送方法。
【請求項２】
活魚介類の高密度輸送において、空気中の濃縮酸素を循環水ポンプの吐出側に冷却蓄圧タンクを設置して蓄圧タンク内に繰り返し挿入し気泡として放出して、請求項１の高濃度溶存酸素水に改善する活魚介類の高密度輸送方法。
【請求項３】
活魚介類の高密度輸送において、空気中の濃縮酸素を輸送タンク水中に気泡として放出する散気管もしくは、エヤーストーンの中にトルマリン又は、酸化アルミを挿入し活性化して、輸送タンク水を高濃度溶存酸素水に改善する活魚介類の高密度輸送方法。
【請求項４】
活魚介類の高密度輸送において、空気中の濃縮酸素をコロナ放電式マイナスイオン発生器に接触させ、イオン化酸素に改質し気泡として放出して、輸送水を高濃度溶存酸素水に改善する活魚介類の高密度輸送方法。
【請求項５】
活魚介類の高密度輸送において、輸送水を常時清浄に保つ為に循環水を磁場印加装置もしくは、網目状袋布で包含されたゼオライト又は、活性炭を交互複数設置した流路を通過させる浄水装置及び、水温調整用スターリング冷凍機もしくはチラーを設置した輸送水清浄温調システムで、請求項１の高濃度溶存酸素水および、清浄水に改善する活魚介類の高密度輸送方法。
【発明の詳細な説明】
【０００１】
【発明の属する技術分野】
本発明は、活魚介類を高品位で高密度輸送する手段及び高濃度溶存酸素水を製造する手段に関するものである。
【０００２】
【従来の技術】
従来、活魚介類の輸送方法は輸送車両・船舶・鉄道・航空機に移動用タンクを積載設置し、エヤーポンプ又は、純酸素ボンベより輸送水に気泡として放出して溶存酸素を高めて活魚介類の輸送効率を良くする方法が用いられている。
一例として、輸送タンク水にエヤーポンプで空気を多量に気泡として放出する方法がある。この方法は溶存酸素増加方法の基本ではあるが、通常の飽和以上は無理がある。
又、輸送タンク水に酸素ボンベより純酸素を気泡として放出し、溶存酸素増加する方法だとＤＯは増加するが過飽和になると活魚の目の細胞が白濁し、活魚として商品価値が激減する更に、高価で危険な純酸素使用はコストの高騰化になる問題点がある。
【０００３】
【発明が解決しようとする課題】
本発明は上記問題を解決するためになされたものであり、その目的は、輸送水の溶存酸素を高め、活性化することで活魚のストレスを減少し、輸送効率を高め高付加価値で活魚介類の輸送効率アップ方法を提供することにある。
【０００４】
【課題を解決するための手段】
本発明は活魚介類の高密度輸送方法として、空気中の窒素を粒状ゼオライト又は、分離膜で吸着排出して酸素及び水素を濃縮し、循環水冷却器に接触熱交換して、溶存しやすい低温酸水素を輸送用タンク水に気泡として放出して、高濃度溶存酸素水に改質し、活魚介類の生存率を増大するものである。
【０００５】
更に、活魚介類の高密度輸送方法として、空気中の濃縮酸水素を循環水ポンプの吐出側に冷却蓄圧タンク設置し、濃縮酸水素ガスを冷却蓄圧タンク内に加圧挿入繰り返し気泡として放出して、未溶存酸素をロスなく極限まで溶存する方法である。
【０００６】
また、  活魚介類の高密度輸送において、空気中の濃縮酸素を輸送タンク水中に気泡として放出せる散気管もしくは、エヤーストーンの中にトルマリン又は、酸化アルミ又は、麦飯石を挿入し接触活性化させ、輸送タンク水を清浄で高濃度溶存酸素水に改善して活魚介類のストレスを低減して高密度輸送する方法。
【０００７】
さらに、活魚介類の高密度輸送において、空気中の濃縮酸素をコロナ放電式マイナスイオン発生器に接触させ、イオン化酸素に改質して輸送水に気泡として放出され、高濃度溶存酸素水に改善して活魚介類を仮眠状態にし、ストレスを低減して高密度輸送する方法。
【０００８】
また、活魚介類の高密度輸送において、輸送水を常時清浄に保つ為に循環水を磁場印加装置もしくは、網目状袋布で包含されたゼオライト又は、活性炭を交互複数設置した流路を通過させる浄水装置及び、水温調整用スターリング冷凍機もしくは、チラーを設置した輸送水清浄温調システムで、活魚介類の糞尿を浄化し細菌の繁殖を防止して活魚介類の鮮度劣化防止及び生存率を高める方法である。
【０００９】
【発明の実施の形態】
以下本発明の実施例を図面により説明する。
【実施例】
本発明の第１実施例を説明する。
空気原料（１）をコンプレッサー（２）で除湿除塵器（３）を通過し、窒素吸着器（４）で窒素を吸着排出し、濃縮された酸水素及びバッファタンク（５）を循環水冷却器（６）に接触冷却し、輸送タンク水（７）に散気管（８）により気泡として放出され高濃度溶存酸素水となる。
【００１０】
本発明の第２実施例を説明する。
空気原料（１）をコンプレッサー（２）で除湿除塵器（３）を通過し、窒素吸着器（４）で窒素を吸着排出し、濃縮された酸水素及びバッファタンク（５）を循環水ポンプ（１０）の吐出側に冷却蓄圧タンク（９）を備えこの蓄圧タンク内に濃縮酸水素を加圧し、散気管（８）により循環水に気泡として放出され高濃度溶存酸素水となる。
【００１１】
本発明の第３実施例を説明する。
散気管又はエヤーストーン（８）の中にトルマリン又は酸化アルミを挿入し、濃縮された酸水素を接触活性化させ、輸送タンク水（７）に気泡として放出され、イオン化高濃度溶存酸素水とする。
【００１２】
本発明の第４実施例を説明する。
空気原料（１）をコンプレッサー（２）で除湿除塵器（３）を通過し、窒素吸着器（４）で窒素を吸着排出し、濃縮された酸水素及びバッファタンク（５）を通過後マイナスイオン発生器（１２）に接触させ、さらに循環水ポンプ（１０）の吐出側に冷却蓄圧タンク（９）を備えこの蓄圧タンク内に濃縮酸水素を加圧し、散気管（８）により循環水に気泡として放出され高濃度溶存酸素水となる。さらに高濃度溶存酸素水は、輸送タンク（７）に放出される。又、活魚介類の放出した糞尿で汚れたタンク水は、回収ポンプ（１３）で浄化槽（１１）に回収され浄化し、輸送タンク戻される。
【００１３】
【発明の効果】
本発明は上記の通り構成されるので次の効果を奏する。
活魚介類の高密度輸送方法として、空気中の窒素を粒状ゼオライト又は、分離膜で吸着排出して酸素及び水素を濃縮し、上記の方法で輸送用タンク水に気泡として放出して、高濃度溶存酸素水に改質し、活魚介類の鮮度保持及び生存率をたかめた結果、数十時間の移動にもかかわらず、１００パーセント近く生存し、また活魚の色落ちが全くなく、市場で高品位・高価格で売買される効果がある。
更に、養殖に高濃度溶存酸素水を使用して稚魚の育成をした場合、腐敗防止、栄養補給及び、制菌作用があり病気の予防が期待できる。
【図面の簡単な説明】
【図１】本発明の第１実施例のフロー図である。
【符号の説明】
１      原料空気
２      コンプレッサー
３      除湿除塵器装置
４      窒素吸着器
５      バッファタンク
６      冷水器
７      輸送水及びタンク
８      散気管
９      冷却蓄圧タンク
１０      循環水ポンプ
１１      浄化槽
１２      マイナスイオン発生器
１３      輸送水回収排出ポンプ
【図１】
2004305193.tif 000003